(57)【要約】      （修正有）【課題】第一ベースピンと第二ベースピンの一方を第二スタンドのカード溝内に挿入することで、不同な組み合わせと傾斜角度を有し、使用しない時には、取り外して便利に持ち歩くことが可能なモバイル端末装置の支持用組み合わせスタンドを提供する。【解決手段】第一スタンド１０及び第二スタンド２０を含み、第一スタンドの両端には、それぞれ第一ベースピン１１及び第二ベースピン１２が設けられ、第一ベースピンの長さは、第二ベースピンの長さより大きく、または小さく、第二スタンドにはカード溝２１が設けられ、第一ベースピン又は第二ベースピンのうちの一方がカード溝内に挿入されて第二スタンドの一端とでモバイル端末装置を乗せるための支持台を構成し、第一ベースピン又は第二ベースピンの他方と第二スタンドの他端とで組み合わせスタンドの支持脚を構成する。【選択図】図１
0003219061.tif 000002
【実用新案登録請求の範囲】
【請求項１】
モバイル端末装置の支持に用いられる組み合わせスタンドであって、
前記組み合わせスタンドは、第一スタンド及び第二スタンドを含み、前記第一スタンドの両端には、それぞれ第一ベースピン及び第二ベースピンが設けられ、前記第一ベースピンの長さは、前記第二ベースピンの長さより大きく、または前記第二ベースピンの長さより小さく、前記第二スタンドにはカード溝が設けられ、前記第一ベースピンと前記第二ベースピンのうちの一方が前記カード溝内に挿入され且つ前記第二スタンドの一端と前記モバイル端末装置を乗せるための支持台を構成し、前記第一ベースピンと前記第二ベースピンのうちの他方と前記第二スタンドの他端と前記組み合わせスタンドの支持脚を構成することを特徴とする組み合わせスタンド。
【請求項２】
前記第一スタンドは、「H」状構造であり、第一中間支持板、間を置いて前記第一中間支持板の一側に設けられる二つの前記第一ベースピン、及び間を置いて前記第一中間支持板の他の一側に設けられる二つの前記第二ベースピンを含むことを特徴とする請求項１に記載の組み合わせスタンド。
【請求項３】
前記カード溝の数は、２より大きいか等しい偶数であり、偶数個の前記カード溝は、前記第二スタンドの両側に対称して分布されることを特徴とする請求項２に記載の組み合わせスタンド。
【請求項４】
前記カード溝の数は、４より大きいか等しい偶数であることを特徴とする請求項３に記載の組み合わせスタンド。
【請求項５】
前記カード溝の数は１０であることを特徴とする請求項４に記載の組み合わせスタンド。
【請求項６】
前記第二スタンドは、矩形構造であり、前記第二スタンドは、間を置いて対向するように設けられる二つの第一外縁及び二つの間を置いて対向するように設けられる且つ二つの前記第一外縁の間に垂直して接続される二つの第二外縁を有し、１０個の前記カード溝は、二つの前記第二外縁の中間線に対して対称して分布されることを特徴とする請求項５に記載の組み合わせスタンド。
【請求項７】
いずれかの前記カード溝の開口の中間線の位置から、二つの前記第二外縁のうちの一方までの距離は、前記第二外縁の他方までの距離より大きいか小さいことを特徴とする請求項６に記載の組み合わせスタンド。
【請求項８】
前記第二スタンドは、第二中間支持板、前記第二中間支持板一端に設けられる第一端部支持板、及び前記第二中間支持板の他端に設けられる第二端部支持板を含み、前記カード溝は、第二中間支持板に設けられることを特徴とする請求項５に記載の組み合わせスタンド。
【請求項９】
前記第一端部支持板及び第二端部支持板は、共に前記第一外縁の長さ方向に沿って設けられ、前記第一端部支持板の前記第一外縁長さ方向における寸法は、前記第二端部支持板の前記第一外縁長さ方向における寸法より大きいか小さいことを特徴とする請求項８に記載の組み合わせスタンド。 
【請求項１０】
前記第一スタンド及び/又は前記第二スタンドの外表面には、滑り止めパターンが設けられることを特徴とする請求項１〜請求項９のいずれか１つに記載の記載の組み合わせスタンド。
【考案の詳細な説明】
【技術分野】
【０００１】
本考案は、スタンド構造技術分野に関し、特に組み合わせスタンドに関する。
【背景技術】
【０００２】
モバイル端末装置は生活に必需品となり、使用者が休憩ひいては料理を作る時にも、モバイル端末を用いて動画をみるが、モバイル端末を直接鉛直に机の上に載せ、使用者が頻繁に腰を曲げないと画面上の動画をはっきり見ることができず、長時間経つと使用者が疲れやすくなる。それから様々なモバイル端末装置用スタンドが市販されているが、これらのモバイル端末装置用スタンドは、製作コストが高く且つ携帯しにくい。
【考案の概要】
【考案が解決しようとする課題】
【０００３】
従来の技術のおける問題を解決するために、本考案の目的は、市販されているモバイル端末装置用スタンドの製作コストが高く且携帯しにくいという技術問題を解決することである。
【課題を解決するための手段】
【０００４】
本考案は、モバイル端末装置の支持に用いられる組み合わせスタンドを提供し、前記組み合わせスタンドは、第一スタンド及び第二スタンドを含み、前記第一スタンドの両端には、それぞれ第一ベースピン及び第二ベースピンが設けられ、前記第一ベースピンの長さは、前記第二ベースピンの長さより大きく、または前記第二ベースピンの長さより小さく、前記第二スタンドにはカード溝が設けられ、前記第一ベースピンと前記第二ベースピンのうちの一方が前記カード溝内に挿入され且つ前記第二スタンドの一端と前記モバイル端末装置を乗せるための支持台を構成し、前記第一ベースピンと前記第二ベースピンのうちの他方と前記第二スタンドの他端と前記組み合わせスタンドの支持脚を構成する。
【０００５】
更に、前記第一スタンドは、「H」状構造であり、第一中間支持板、間を置いて前記第一中間支持板の一側に設けられる二つの前記第一ベースピン、及び間を置いて前記第一中間支持板の他の一側に設けられる二つの前記第二ベースピンを含む。
【０００６】
更に、前記カード溝の数は、２より大きいか等しい偶数であり、偶数個の前記カード溝は、前記第二スタンドの両側に対称して分布される。
【０００７】
更に、前記カード溝の数は、４より大きいか等しい偶数である。
【０００８】
更に、前記カード溝の数は１０である。
【０００９】
更に、前記第二スタンドは、矩形構造であり、前記第二スタンドは、間を置いて対向するように設けられる二つの第一外縁及び二つの間を置いて対向するように設けられる且つ二つの前記第一外縁の間に垂直して接続される二つの第二外縁を有し、１０個の前記カード溝は、二つの前記第二外縁の中間線に対して対称して分布される。
【００１０】
更に、いずれかの前記カード溝の開口の中間線の位置から、二つの前記第二外縁のうちの一方までの距離は、前記第二外縁の他方までの距離より大きいか小さい。
【００１１】
更に、前記第二スタンドは、第二中間支持板、前記第二中間支持板一端に設けられる第一端部支持板、及び前記第二中間支持板の他端に設けられる第二端部支持板を含み、前記カード溝は、第二中間支持板に設けられる。
【００１２】
更に、前記第一端部支持板及び第二端部支持板は、共に前記第一外縁の長さ方向に沿って設けられ、前記第一端部支持板の前記第一外縁長さ方向における寸法は、前記第二端部支持板の前記第一外縁長さ方向における寸法より大きいか小さい。
【００１３】
更に、前記第一スタンド及び/又は前記第二スタンドの外表面には、滑り止めパターンが設けられる。
【考案の効果】
【００１４】
従来技術に比べると、本考案の効果は以下の通りである。
本考案により提供される組み合わせスタンドは、第一スタンドの第一ベースピンの長さを、第二ベースピンの長さより大きく、または小さく設計することで、第一ベースピンと第二ベースピンとが対称しない効果を実現する。同時に、第一ベースピンと第二ベースピンのうちの一方が第二スタンドのカード溝内に挿入され且つ第二スタンドと支持台を構成し、第一ベースピンと第二ベースピンのうちの他方と第二スタンドの他端を組み合わせスタンドの支持脚とすることで、組み合わせスタンドが異なる組み合わせ方式及び傾斜角度を有し、不同な要求に対応し、且つ第一スタンド及び第二スタンド構造が簡単になり、製造コストが低く、使用しない時に、組み合わせスタンドを取り外して便利に持ち歩くことが可能になる。
【図面の簡単な説明】
【００１５】
【図１】本考案の組み合わせスタンドの構造を示す図である。
【図２】組み合わせスタンドの分解図である。
【図３】第一スタンドの構造を示す図である。
【図４】第二スタンドの構造を示す図である。
【考案を実施するための形態】
【００１６】
以下、図面及び実施形態を参照しながら、本発明を詳細に説明する。なお、矛盾しない限り、以下の各実施例または各技術特徴は、任意に組み合わせて新たな実施例を形成することができる。
【００１７】
図１〜４に示すように、本考案は、モバイル端末装置を支持する組み合わせスタンドを提供し、組み合わせスタンドは、第一スタンド１０及び第二スタンド２０を含み、第一スタンド１０及び第二スタンド２０は、取り外し可能に接続され、第一スタンド１０の両端には、それぞれ第一ベースピン１１及び第二ベースピン１２が設けられ、第一ベースピン１１の長さは、第二ベースピン１２の長さより大きく、または小さくすることで、第一ベースピン１１と第二ベースピン１２とが対称しないようになる設計効果を達成し、第二スタンド２０には、カード溝２１が設けられ、カード溝２１と第一ベースピン１１または第二ベースピン１２とがマッチングし、第一スタンド１０と第二スタンド２０の構造が簡単になり、製造コストが低く、使用が便利である。
【００１８】
第一ベースピン１１と第二ベースピン１２のうちの一方は、カード溝２１内に挿入され且つ第二スタンド２０の一端と支持台を構成し、該支持台にモバイル端末装置を載せ、第一ベースピン１１と第二ベースピン１２のうちの他方と第二スタンド２０の他端が組み合わせスタンドの支持脚を構成することにより、組み合わせスタンドが異なる組み合わせ方式と傾斜角度を有し、不同な要求に対応し、使用しない時には、組み合わせスタンドを取り外して持ち歩くことが可能になる。
【００１９】
本実施例において、図３に示すように、第一スタンド１０は「H」状構造であり、第一スタンド１０は、第一中間支持板１３、二つの第一ベースピン１１及び二つの第二ベースピン１２を含み、二つの第一ベースピン１１は、間を置いて第一中間支持板１３の一側に設けられ、二つの第二ベースピン１２は、間を置いて第一中間支持板１３の他の一側に設けられ、第一ベースピン１１と第二ベースピンと１２反対側に設けられ、二つの第一ベースピン１１又は二つの第二ベースピン１２のうち一方は、第二スタンド２０のカード溝２１内に挿入されて組み合わせスタンドを形成する。この際、該組み合わせスタンドは、少なくとも２種の調節可能な角度を有することで、組み合わせスタンドに載せられるモバイル端末装置の角度を調整する。具体的に設計する時に、第一ベースピン１１の長さ方向を第一スタンド１０の長さ方向にし、第一ベースピン１１と第二ベースピン１２の第一スタンド１０長さ方向における寸法の差は、第一中間支持板１３の第一スタンド１０長さ方向における寸法の約半分である。
【００２０】
好ましい実施形態として、カード溝２１の数が２より大きいか等しい偶数であり、偶数個のカード溝２１は、第二スタンド２０の両側に対称して分布し、該組み合わせスタンドが少なくとも２種の調節可能な角度を有することで、組み合わせスタンドに載せられるモバイル端末装置が少なくとも有２種の角度を選択することができる。
【００２１】
好ましい実施形態として、カード溝２１の数が２より大きいか等しい偶数であり、該組み合わせスタンドが少なくとも６種の調節可能な角度を有することで、組み合わせスタンドに載せられるモバイル端末装置が少なくとも６種の角度を選択することができる。
【００２２】
本実施例において、カード溝２１の数が１０であり、この際、該組み合わせスタンドが少なくとも１０種の調節可能な角度を有することで、組み合わせスタンドに載せられるモバイル端末装置が少なくとも１０種の角度を選択することができる。
【００２３】
本実施例において、第二スタンド２０は、矩形構造であり、第二スタンド２０は、二つの間を置いて対向するように設けられる第一外縁及び二つの間を置いて対向するように設けられる第二外縁を有し、二つの第二外縁は、二つの第一外縁の間に垂直して接続され、１０個のカード溝２１は、第二外縁の中間線に対して対称するように分布されることで、二つの第一ベースピン１１または二つの第二ベースピン１２の位置に対応する。
【００２４】
好ましい実施形態として、任意のカード溝２１の開口の中間線の位置から、二つの第二外縁のうち一つまでの距離は、他の一つの第二外縁までの距離より大きいか小さく構成されることで、該組み合わせスタンドが２０種の調節可能な角度を有し、カード溝２１の開口の幅が第一スタンド１０の厚さより大きくすることで、組み合わせスタンドの剛性を低減させる。
【００２５】
図４に示すように、第二スタンド２０は、第二中間支持板２２、第一端部支持板２３及び第二端部支持板２４を含み、第一端部支持板２３は、第二中間支持板２２の一端に設けられ、第二端部支持板２４は、第二中間支持板２２の他端に設けられ、カード溝２１は、第二中間支持板２２に設けられ、第一スタンド１０のベースピンが第二スタンド２０のカード溝２１に挿入された時に、第一中間支持板１３が第二中間支持板２２に当接することで、組み合わせスタンドの上端においいて前記支持台を形成する。
【００２６】
好ましい実施形態として、第一端部支持板２３及び第二端部支持板２４は、共に第一外縁の長さ方向に沿って設けられ、第一端部支持板２３の第一外縁長さ方向における寸法は、第二端部支持板２４の第一外縁長さ方向における寸法より大きいか小さく、第一端部支持板２３と第二端部支持板２４との第一外縁長さ方向における寸法が異なることで、第二スタンド２０の上面と下面を便利に識別することができる。
【００２７】
本実施例において、第一スタンド１０及び/または第二スタンド２０の外表面には、滑り止めパターンが設けられ、組み合わせスタンドに載せられたモバイル端末装置の滑落を防止する。
【００２８】
従って、本考案によって提供する組み合わせスタンドは、第一スタンド１０の第一ベースピン１１の長さを、第二ベースピン１２の長さより大きく、または小さく設計することで、第一ベースピン１１と第二ベースピン１２とが対称しない効果を実現する。同時に、第一ベースピン１１と第二ベースピン１２のうちの一方が第二スタンド２０のカード溝２１内に挿入され且つ第二スタンド２０と支持台を構成し、第一ベースピン１１と第二ベースピン１２のうちの他方と第二スタンド２０の他端を組み合わせスタンドの支持脚とすることで、組み合わせスタンドが異なる組み合わせ方式及び傾斜角度を有し、不同な要求に対応し、且つ第一スタンド１０及び第二スタンド２０構造が簡単になり、製造コストが低く、使用しない時に、組み合わせスタンドを取り外して便利に持ち歩くことが可能になる。
【００２９】
なお、該組み合わせスタンドは、モバイル端末に限らず、フォトアルバム、文房具及び装飾品等を載せる時にも用いることができる。
【００３０】
前記の実施形態は、本考案の好ましい実施形態であり、本考案の保護範囲を限定するためのものではない。当業者が本考案に基づいて行う変更や修飾も本考案の保護範囲に属すべきてある。
【符号の説明】
【００３１】
１０、第一スタンド
１１、第一ベースピン
１２、第二ベースピン
１３、第一中間支持板
２０、第二スタンド
２１、カード溝
２２、第二中間支持板
２３、第一端部支持板
２４、第二端部支持板。
【図１】
0003219061.tif 000003
【図２】
0003219061.tif 000004
【図３】
0003219061.tif 000005
【図４】
0003219061.tif 000006
【手続補正書】
【提出日】平成30年9月19日(2018.9.19)
【手続補正１】
【補正対象書類名】実用新案登録請求の範囲
【補正対象項目名】全文
【補正方法】変更
【補正の内容】
【実用新案登録請求の範囲】
【請求項１】
モバイル端末装置の支持に用いられる組み合わせスタンドであって、
前記組み合わせスタンドは、第一スタンド及び第二スタンドを含み、前記第一スタンドの両端には、それぞれ第一ベースピン及び第二ベースピンが設けられ、前記第一ベースピンの長さは、前記第二ベースピンの長さより大きく、または前記第二ベースピンの長さより小さく、前記第二スタンドにはカード溝が設けられ、前記第一ベースピンと前記第二ベースピンのうちの一方が前記カード溝内に挿入され且つ前記第二スタンドの一端と前記モバイル端末装置を乗せるための支持台を構成し、前記第一ベースピンと前記第二ベースピンのうちの他方と前記第二スタンドの他端と前記組み合わせスタンドの支持脚を構成することを特徴とする組み合わせスタンド。
【請求項２】
前記第一スタンドは、「H」状構造であり、第一中間支持板、間を置いて前記第一中間支持板の一側に設けられる二つの前記第一ベースピン、及び間を置いて前記第一中間支持板の他の一側に設けられる二つの前記第二ベースピンを含むことを特徴とする請求項１に記載の組み合わせスタンド。
【請求項３】
前記カード溝の数は、２より大きいか等しい偶数であり、偶数個の前記カード溝は、前記第二スタンドの両側に対称して分布されることを特徴とする請求項２に記載の組み合わせスタンド。
【請求項４】
前記カード溝の数は、４より大きいか等しい偶数であることを特徴とする請求項３に記載の組み合わせスタンド。
【請求項５】
前記カード溝の数は１０であることを特徴とする請求項４に記載の組み合わせスタンド。
【請求項６】
前記第二スタンドは、矩形構造であり、前記第二スタンドは、間を置いて対向するように設けられる二つの第一外縁及び二つの間を置いて対向するように設けられる且つ二つの前記第一外縁の間に垂直して接続される二つの第二外縁を有し、１０個の前記カード溝は、二つの前記第二外縁の中間線に対して対称して分布されることを特徴とする請求項５に記載の組み合わせスタンド。
【請求項７】
いずれかの前記カード溝の開口の中間線の位置から、二つの前記第二外縁のうちの一方までの距離は、前記第二外縁の他方までの距離より大きいか小さいことを特徴とする請求項６に記載の組み合わせスタンド。
【請求項８】
前記第二スタンドは、第二中間支持板、前記第二中間支持板一端に設けられる第一端部支持板、及び前記第二中間支持板の他端に設けられる第二端部支持板を含み、前記カード溝は、第二中間支持板に設けられることを特徴とする請求項６に記載の組み合わせスタンド。
【請求項９】
前記第一端部支持板及び第二端部支持板は、共に前記第一外縁の長さ方向に沿って設けられ、前記第一端部支持板の前記第一外縁長さ方向における寸法は、前記第二端部支持板の前記第一外縁長さ方向における寸法より大きいか小さいことを特徴とする請求項８に記載の組み合わせスタンド。 
【請求項１０】
前記第一スタンド及び/又は前記第二スタンドの外表面には、滑り止めパターンが設けられることを特徴とする請求項１〜請求項９のいずれか１つに記載の組み合わせスタンド。